【手続補正書】
【提出日】平成22年9月9日(2010.9.9)
【手続補正１】
【補正対象書類名】特許請求の範囲
【補正対象項目名】全文
【補正方法】変更
【補正の内容】
【特許請求の範囲】
【請求項１】
患部に電流を出力する電極部と、当該電極部にパルスを出力するパルス出力部と、当該パルス出力部に各種電流を供給する電源部とを備え、イオン化溶液中に含まれるイオン化成分を前記パルス出力部からのパルスによって生体へ導入するイオン導入器において、
前記パルス出力部が各パルス生成時にパルスの立ち上がりの波形の形状を湾曲とすると共にパルスの立ち下がりの波形の形状を急峻な直線形状としたことを
特徴とするイオン導入器。
【請求項２】
患部に電流を出力する電極部と、当該電極部にパルスを出力するパルス出力部と、当該パルス出力部に各種電流を供給する電源部と、当該電源部からの電流に基づいて前記パルス出力部を制御する制御部とを備え、イオン化溶液中に含まれるイオン化成分を前記パルス出力部からのパルスによって生体へ導入するイオン導入器において、
前記パルス出力部が各パルス生成時にパルスの立ち上がりの波形の形状を湾曲とすると共にパルスの立ち下がりの波形の形状を急峻な直線形状とし、
前記制御部が、前記パルス出力部から前記電極部に人体検知用の検出信号を適宜出力するように制御すると共に、前記電極部と人体とが接触しているか否かを検知し、人体と前記電極部とが接触している場合に、
パルス出力開始からの時間経過又は出力済みパルスに応じてパルスの振幅を所定値まで大きくすることを
特徴とするイオン導入器。
【請求項３】
患部に電流を出力する電極部と、当該電極部にパルスを出力するパルス出力部と、当該パルス出力部に各種電流を供給する電源部と、当該電源部からの電流に基づいて前記パルス出力部を制御する制御部とを備え、イオン化溶液中に含まれるイオン化成分を前記パルス出力部からのパルスによって生体へ導入するイオン導入器において、
前記パルス出力部が各パルス生成時にパルスの立ち上がりの波形の形状を湾曲とすると共にパルスの立ち下がりの波形の形状を急峻な直線形状とし、
前記制御部が、前記パルス出力部から前記電極部に人体検知用の検出信号を適宜出力するように制御すると共に、前記電極部と人体とが接触しているか否かを検知し、人体と前記電極部とが接触している場合に、
パルス出力開始からの時間経過又は出力済みパルスに応じてパルス幅を所定値まで大きくすることを
特徴とするイオン導入器。
【請求項４】
患部に電流を出力する電極部と、当該電極部にパルスを出力するパルス出力部と、当該パルス出力部に各種電流を供給する電源部とを備え、イオン化溶液中に含まれるイオン化成分を前記パルス出力部からのパルスによって生体へ導入するイオン導入器において、
前記パルス出力部が各パルス生成時にパルスの立ち上がりの波形の形状を湾曲とすると共にパルスの立ち下がりの波形の形状を急峻な直線形状とし、
正又は負のパルスを出力した後に逆極性のパルスを出力する場合に正又は負のパルス出力後休止期間を経て逆極性のパルスを出力することを
特徴とするイオン導入器。
【手続補正２】
【補正対象書類名】明細書
【補正対象項目名】０００８
【補正方法】変更
【補正の内容】
【０００８】
本発明に係るイオン導入器は、患部に電流を出力する電極部と、当該電極部にパルスを出力するパルス出力部と、当該パルス出力部に各種電流を供給する電源部とを備え、イオン化溶液中に含まれるイオン化成分を前記パルス出力部からのパルスによって生体へ導入するイオン導入器において、前記パルス出力部が各パルス生成時にパルスの立ち上がりの波形の形状を湾曲とすると共にパルスの立ち下がりの波形の形状を急峻な直線形状としたものである。このように本発明においては、前記パルス出力部が各パルス生成時にパルスの立ち上がり時間を十分与えるので、生体が電気を感じるコヒーレ電圧に急激に到達することなく、パルスの電圧レベルがゆっくりと上昇しコヒーレ電圧に到達して生体に対して電気を感じさせることを防止して、本イオン導入器を快く使用することができる。前記パルス出力部が各パルス生成時にパルスの立ち上がり時間を十分与えるとしているが、パルス出力部にパルスの立ち上がり時間を十分与えるための回路を構成してもよいし、別途制御部を設けてかかる制御部の制御下パルス出力部がパルスの立ち上がり時間を十分与えてもよい。
【手続補正３】
【補正対象書類名】明細書
【補正対象項目名】０００９
【補正方法】変更
【補正の内容】
【０００９】
また、本発明に係るイオン導入器は、患部に電流を出力する電極部と、当該電極部にパルスを出力するパルス出力部と、当該パルス出力部に各種電流を供給する電源部と、当該電源部からの電流に基づいて前記パルス出力部を制御する制御部とを備え、イオン化溶液中に含まれるイオン化成分を前記パルス出力部からのパルスによって生体へ導入するイオン導入器において、前記パルス出力部が各パルス生成時にパルスの立ち上がりの波形の形状を湾曲とすると共にパルスの立ち下がりの波形の形状を急峻な直線形状とし、前記制御部が、前記パルス出力部から前記電極部に人体検知用の検出信号を適宜出力するように制御すると共に、前記電極部と人体とが接触しているか否かを検知し、人体と前記電極部とが接触している場合に、パルス出力開始からの時間経過又は出力済みパルスに応じてパルスの振幅を所定値まで大きくするものである。このように本発明においては、前記パルス出力部が出力済みパルスに応じてパルスの振幅を所定値まで大きくしているので、イオン導入器の電極部が患部に接触する場合に、ミクロ的に点接触直前であっても電圧レベルが不十分で放電が生じるような電荷の集中がなく痛みなく使用することができる。ここでのパルスの振幅とは、パルスの電圧レベルのことをいう。
【手続補正４】
【補正対象書類名】明細書
【補正対象項目名】００１０
【補正方法】変更
【補正の内容】
【００１０】
また、本発明に係るイオン導入器は、患部に電流を出力する電極部と、当該電極部にパルスを出力するパルス出力部と、当該パルス出力部に各種電流を供給する電源部と、当該電源部からの電流に基づいて前記パルス出力部を制御する制御部とを備え、イオン化溶液中に含まれるイオン化成分を前記パルス出力部からのパルスによって生体へ導入するイオン導入器において、前記パルス出力部が各パルス生成時にパルスの立ち上がりの波形の形状を湾曲とすると共にパルスの立ち下がりの波形の形状を急峻な直線形状とし、前記制御部が、前記パルス出力部から前記電極部に人体検知用の検出信号を適宜出力するように制御すると共に、前記電極部と人体とが接触しているか否かを検知し、人体と前記電極部とが接触している場合に、パルス出力開始からの時間経過又は出力済みパルスに応じてパルス幅を所定値まで大きくするものである。このように本発明においては、前記パルス出力部が、パルス出力開始からの時間経過又は出力済みパルスに応じてパルス幅を所定値まで大きくするので、開始から経過するに従ってパルス幅が大きくなっていき、イオンクレンジングにおいては皮膚に刺激を与えることなく通常の皮膚の状態で徐々に皮膚の深部に蓄積している毒素や老廃物を除去し、イオン導入においても同様に皮膚に刺激を与えることなく通常の皮膚の状態で徐々に皮膚の深部に化粧水等の養分を浸透させることができ、言い換えれば、このジョブリングによって老廃物の除去、養分の浸透等の人体への物質の出入を促進させることができる。
【手続補正５】
【補正対象書類名】明細書
【補正対象項目名】００１１
【補正方法】変更
【補正の内容】
【００１１】
また、本発明に係るイオン導入器は、患部に電流を出力する電極部と、当該電極部にパルスを出力するパルス出力部と、当該パルス出力部に各種電流を供給する電源部とを備え、イオン化溶液中に含まれるイオン化成分を前記パルス出力部からのパルスによって生体へ導入するイオン導入器において、
前記パルス出力部が各パルス生成時にパルスの立ち上がりの波形の形状を湾曲とすると共にパルスの立ち下がりの波形の形状を急峻な直線形状とし、
前記パルス出力部が、正又は負のパルスを出力した後に逆極性のパルスを出力する場合に正又は負のパルス出力後休止期間を経て逆極性のパルスを出力ものである。このように本発明においては、前記パルス出力部が正のパルスを出力した後に負のパルスを出力する場合に正のパルス出力後休止期間を経て負のパルスを出力するので、生体に過剰な電圧レベルの変化の負荷を与えることなく駆動することができる。
【手続補正６】
【補正対象書類名】明細書
【補正対象項目名】００１２
【補正方法】変更
【補正の内容】
【００１２】
また、本発明の参考となるイオン導入器は、患部に電流を出力する電極部と、当該電極部にパルスを出力するパルス出力部と、当該パルス出力部に各種電流を供給する電源部とを備え、イオン化溶液中に含まれるイオン化成分を前記パルス出力部からのパルスによって生体へ導入するイオン導入器であって、前記パルス出力部が所定期間連続してパルスを出力した場合に、警告又はパルスの出力を停止するものである。このように本発明においては、前記パルス出力部が所定期間連続してパルスを出力した場合に、警告又はパルスの出力を停止するので、使用者が同一患部に電極部を接触させた状態でいると、所定期間経過後に警告又はパルスの出力が停止され、同一箇所の過度の施療がなくなり、療法焼け、小水疱、大水疱、皮膚が赤くなるといった状態を未然に防止でき、安全に使用することができる。
【手続補正７】
【補正対象書類名】明細書
【補正対象項目名】００１３
【補正方法】変更
【補正の内容】
【００１３】
また、本発明の参考となるイオン導入器は必要に応じて、パルス立ち上がり期間を十分にとること又はパルスの振幅を所定値まで大きくすることにより減少した電荷量を補うようにパルス幅を大きくするものである。このように本発明においては、パルス立ち上がり期間を十分にとること又はパルスの振幅を所定値まで大きくすることにより減少した電荷量を補うようにパルス幅を大きくするので、パルス緩慢立ち上がり機能又はソフトスタートを採用すると、イオン導入に係る総電荷量が減ることになるが、これはパルス幅を広げることで総電荷量を従来と同様に維持することができ、イオン導入の効果も同様に維持することができる。
【手続補正８】
【補正対象書類名】明細書
【補正対象項目名】００１４
【補正方法】変更
【補正の内容】
【００１４】
また、本発明の参考となるイオン導入器は、患部に電流を出力する電極部と、当該電極部にパルスを出力するパルス出力部と、当該パルス出力部に各種電流を供給する電源部とを備え、イオン化溶液中に含まれるイオン化成分を前記パルス出力部からのパルスによって生体へ導入するイオン導入器であって、前記パルス出力部が各パルス生成時にパルスの立ち下がり時間を十分与えるものである。このように本発明においては、前記パルス出力部が各パルス生成時にパルスの立ち下がり時間を十分与えるので、コヒーレ電圧以上の電圧からGNDレベルまで電圧が急激に下がった場合には痛みは感じないが、違和感を感じることがあり、十分な立ち下り時間を確保することにより、この違和感をも感じさせることなく施療を行うことができる。